(57)【要約】【課題】  本発明は、従来の技術の不足に対して、移動体通信装置の通信の品質を向上するように、無線伝送装置及び無線伝送装置による接続を制御する方法を提供することを課題とする。【解决手段】  本発明は、ベースユニットと、制御ユニットと、方向転換駆動ユニットと、アンテナユニットとを備える無線伝送装置、及び無線伝送装置と移動体通信装置との接続方法を提供する。制御ユニットがベースユニットに設けられる。方向転換駆動ユニットがベースユニットに設けられると共に、制御ユニットに電気的に接続される。アンテナユニットが方向転換駆動ユニットに設けられると共に、制御ユニットに電気的に接続される。制御ユニットはアンテナユニットと移動体通信装置との間の信号計測値に従い、方向転換駆動ユニットの回転方向を制御し、方向転換駆動ユニットに設けられるアンテナユニットを方向転換させる。【選択図】図１
2017147715.tif 000002
【特許請求の範囲】
【請求項１】
無線伝送装置と移動体通信装置との間の無線接続を確立する工程（ａ）と、
所定の位置に置かれるアンテナユニットと前記移動体通信装置との間の信号計測値を検知する工程（ｂ）と、
前記アンテナユニットが第１の方向に向けて別の所定の位置まで回転するように駆動され、別の前記所定の位置に置かれる前記アンテナユニットと前記移動体通信装置との間の別の信号計測値を検知する工程（ｃ）と、
前記アンテナユニットと前記移動体通信装置との間の後の検知された前記信号計測値が、前の検知された前記信号計測値よりも大きいかを判断する工程（ｄ）と、
を備え、
前記アンテナユニットと前記移動体通信装置との間の後の検知された前記信号計測値が、前の検知された前記信号計測値よりも大きくない場合、前記アンテナユニットが第２の方向に向けて更に別の所定の位置まで回転するように駆動され、更に別の所定の位置に置かれる前記アンテナユニットと前記移動体通信装置との間の更に別の信号計測値を検知し、次に工程（ｄ）を実施し、
前記アンテナユニットと前記移動体通信装置との間の後の検知された前記信号計測値が、前の検知された前記信号計測値よりも大きい場合、工程（ｃ）を実施することを特徴とする、無線伝送装置と移動体通信装置との接続方法。
【請求項２】
前記工程（ａ）を行う前に、
前記アンテナユニットと前記移動体通信装置との間の最適の信号計測値の位置を記録するように、前記アンテナユニットが第１の方向に向けて回り１回転するように駆動される工程と、
前記アンテナユニットが前記最適の信号計測値を有する位置まで回転するように駆動される工程とを更に備えることを特徴とする、請求項１に記載の無線伝送装置と移動体通信装置との接続方法。
【請求項３】
前記工程（ｂ）と工程（ｃ）との間に、
前記所定の位置に置かれる前記アンテナユニットと前記移動体通信装置との間の前記信号計測値がデフォルトの信号計測値よりも大きいかを判断する工程を更に備え、
前記所定の位置に置かれる前記アンテナユニットと前記移動体通信装置との間の前記信号計測値が、前記デフォルトの信号計測値よりも大きくない場合、工程（ｃ）を実施し、
前記所定の位置に置かれる前記アンテナユニットと前記移動体通信装置との間の前記信号計測値が、前記デフォルトの信号計測値より大きい場合、工程（ｂ）を実施することを特徴とする、請求項１に記載の無線伝送装置と移動体通信装置との接続方法。
【請求項４】
移動体通信装置と接続されるための無線伝送装置であって、
ベースユニットと、
前記ベースユニットに設けられる制御ユニットと、
前記ベースユニットに設けられると共に、前記制御ユニットに電気的に接続される方向転換駆動ユニットと、
前記方向転換駆動ユニットに設けられると共に、前記制御ユニットに電気的に接続されるアンテナユニットと、
を備え、
前記制御ユニットは前記アンテナユニットと前記移動体通信装置との間の信号計測値に従い、前記方向転換駆動ユニットの回転方向を制御し、前記方向転換駆動ユニットに設けられる前記アンテナユニットを方向転換させることを特徴とする、無線伝送装置。
【請求項５】
前記ベースユニットに設けられると共に、前記制御ユニットに電気的に接続される信号接続ユニットを更に備えることを特徴とする、請求項４に記載の無線伝送装置。
【請求項６】
前記アンテナユニットは指向性アンテナであることを特徴とする、請求項４に記載の無線伝送装置。
【請求項７】
無線伝送装置と移動体通信装置との間の無線接続を確立する工程と、
アンテナユニットが第１の方向に向けて回転するように駆動される工程と、
前記アンテナユニットが前記第１の方向に向けて回転した後で検知された現在の信号計測値が、前記アンテナユニットが前記第１の方向に向けて回転する前に検知された直前の信号計測値よりも大きいかを判断し、前記アンテナユニットが前記第１の方向に向けて回転した後で検知された前記現在の信号計測値が、前記アンテナユニットが前記第１の方向に向けて回転する前に検知された前記直前の信号計測値よりも大きくない場合、前記アンテナユニットが第２の方向に向けて回転するように駆動される工程と、
前記アンテナユニットが前記第２の方向に向けて回転した後で検知された現在の信号計測値が、前記アンテナユニットが前記第２の方向に向けて回転する前に検知された直前の信号計測値よりも大きいかを判断し、前記アンテナユニットが前記第２の方向に向けて回転した後で検知された前記現在の信号計測値が、前記アンテナユニットが前記第２の方向に向けて回転する前に検知された前記直前の信号計測値よりも大きくない場合、前記アンテナユニットが前記第１の方向に向けて回転するように駆動される工程と、
を備えることを特徴とする、無線伝送装置と移動体通信装置との接続方法。
【請求項８】
前記アンテナユニットが前記第１の方向に向けて回転した後で検知された前記現在の信号計測値が、前記アンテナユニットが前記第１の方向に向けて回転する前に検知された前記直前の信号計測値よりも大きい場合、前記アンテナユニットが前記第１の方向に向けて回転するように駆動され続けることを特徴とする、請求項７に記載の無線伝送装置と移動体通信装置との接続方法。
【請求項９】
前記アンテナユニットが前記第２の方向に向けて回転した後で検知された前記現在の信号計測値が、前記アンテナユニットが前記第２の方向に向けて回転する前に検知された前記直前の信号計測値よりも大きい場合、前記アンテナユニットを前記第２の方向に向けて回転するように駆動され続けることを特徴とする、請求項７に記載の無線伝送装置と移動体通信装置との接続方法。
【請求項１０】
前記アンテナユニットが前記第１の方向に向けて回転するように駆動される工程を行う前に、
前記無線伝送装置と前記移動体通信装置との間の信号強度を検知し、前記アンテナユニットが前記第１の方向に向けて回転する前に検知された前記直前の信号計測値を得る工程を更に備えることを特徴とする、請求項７に記載の無線伝送装置と移動体通信装置との接続方法。
【請求項１１】
前記アンテナユニットが前記第２の方向に向けて回転した後で検知された前記現在の信号計測値が、前記アンテナユニットが前記第２の方向に向けて回転する前に検知された前記直前の信号計測値よりも大きいかを判断する工程の後で、
前記移動体通信装置と前記無線伝送装置との間の対応する位置関係を計算する工程を更に備えることを特徴とする、請求項７に記載の無線伝送装置と移動体通信装置との接続方法。
【発明の詳細な説明】
【技術分野】
【０００１】
本発明は、無線伝送装置、及び無線伝送装置と移動体通信装置との接続方法に関し、特に移動体通信装置の通信の品質を向上することができる無線伝送装置、及び無線伝送装置と移動体通信装置との接続方法に関する。
【背景技術】
【０００２】
現在の無線伝送装置、例えば無線ネットワーク基地局（Ａｃｃｅｓｓ  ｐｏｉｎｔ、ＡＰ）は、無線通信技術により無線ネットワークのサービスを提供することができる。一般的には、無線伝送装置は、通常、無指向性アンテナから発信される無線信号を介して移動体通信装置と無線接続（Ｗｉ−Ｆｉ）されるものである。
【０００３】
しかし、移動体通信装置で無線ネットワークの信号を送受信する強度が外部環境（例えば、装飾、設備、壁等の遮蔽物）に影響されることが多い。ユーザが移動体通信装置を用いる場合、移動体通信装置は、置かれる位置により受信される信号強度が変動するものである。移動体通信装置により受信される無線ネットワーク信号を強化するために、通常、ユーザは移動体通信装置を無線伝送装置に接近移動し、遮蔽物から引き離し、又は手動で移動体通信装置の角度を調整しなければならない。
【０００４】
従って、上記の不具合を克服するために、どのように無線伝送装置、及び無線伝送装置による接続を制御する方法が提供されるか、既に当業界で解決しようとする重要な課題の一つとなっている。
【発明の概要】
【発明が解決しようとする課題】
【０００５】
本発明は、移動体通信装置の通信の品質を向上するように、従来技術の不足に対して無線伝送装置、及び無線伝送装置による接続を制御する方法を提供することを課題とする。
【課題を解決するための手段】
【０００６】
本発明に用いられる一実施例は、移動体通信装置と接続されるための無線伝送装置であって、ベースユニットと、制御ユニットと、方向転換駆動ユニットと、アンテナユニットとを備える無線伝送装置を提供する。制御ユニットがベースユニットに設けられる。方向転換駆動ユニットがベースユニットに設けられると共に、制御ユニットに電気的に接続される。アンテナユニットが方向転換駆動ユニットに設けられると共に、制御ユニットに電気的に接続される。制御ユニットはアンテナユニットと移動体通信装置との間の信号計測値に従い、方向転換駆動ユニットの回転方向を制御し、方向転換駆動ユニットに設けられるアンテナユニットを方向転換させる。
【０００７】
本発明の更に別の実施例は、無線伝送装置と移動体通信装置との間の無線接続を確立する工程と、所定の位置に置かれるアンテナユニットと移動体通信装置との間の信号計測値を検知する工程と、アンテナユニットが第１の方向に向けて別の所定の位置まで回転するように駆動され、別の所定の位置に置かれるアンテナユニットと移動体通信装置との間の別の信号計測値を検知する工程と、アンテナユニットと移動体通信装置との間の後の検知された信号計測値が、前の検知された信号計測値よりも大きいかを判断する工程とを備える、無線伝送装置と移動体通信装置との接続方法を提供する。アンテナユニットと移動体通信装置との間の後の検知された信号計測値が、前の検知された信号計測値よりも大きくない場合、アンテナユニットが第２の方向に向けて更に別の所定の位置まで回転するように駆動され、更に別の所定の位置に置かれるアンテナユニットと移動体通信装置との間の更に別の信号計測値を検知し、アンテナユニットと移動体通信装置との間の後の検知された信号計測値が、前の検知された信号計測値よりも大きい場合、アンテナユニットが第１の方向に向けて回転するように駆動され続け、別の信号計測値を検知する。
【０００８】
本発明の更に別の実施例は、無線伝送装置と移動体通信装置との間の無線接続を確立する工程と、アンテナユニットが第１の方向に向けて回転するように駆動される工程と、アンテナユニットが第１の方向に向けて回転した後で検知された現在の信号計測値が、アンテナユニットが第１の方向に向けて回転する前に検知された直前の信号計測値よりも大きいかを判断し、アンテナユニットが第１の方向に向けて回転した後で検知された現在の信号計測値が、アンテナユニットが第１の方向に向けて回転する前に検知された直前の信号計測値よりも大きくない場合、アンテナユニットが第２の方向に向けて回転するように駆動される工程と、アンテナユニットが第２の方向に向けて回転した後で検知された現在の信号計測値が、アンテナユニットが第２の方向に向けて回転する前に検知された直前の信号計測値よりも大きいかを判断し、アンテナユニットが第２の方向に向けて回転した後で検知された現在の信号計測値が、アンテナユニットが第２の方向に向けて回転する前に検知された直前の信号計測値よりも大きくない場合、アンテナユニットが第１の方向に向けて回転するように駆動される工程とを備える、無線伝送装置と移動体通信装置との接続方法を提供する。
【発明の効果】
【０００９】
本発明に係る実施例が提供する無線伝送装置、及び無線伝送装置と移動体通信装置との接続方法は、無線伝送装置と移動体通信装置との間の信号計測値を連続的に検知し、アンテナユニットの方向転換を調整することができ、無線伝送装置と移動体通信装置との間の信号計測値又は通信の品質が最も好ましい状態に維持されるものである。
【図面の簡単な説明】
【００１０】
【図１】図１は本発明に係る第１の実施例に提供される無線伝送装置の機能ブロック図である。
【図２】図２は本発明に係る第１の実施例の無線伝送装置及び移動体通信装置の操作の模式図である。
【図３】図３は本発明に係る実施例の無線伝送装置及び移動体通信装置の使用状態の模式図である。
【図４】図４は本発明に係る実施例の無線伝送装置及び移動体通信装置の別の使用状態の模式図である。
【図５】図５は本発明に係る第２の実施例に提供される無線伝送装置と移動体通信装置との接続の工程フロー模式図である。
【図６】図６は本発明に係る第２の実施例に提供される別の無線伝送装置と移動体通信装置との接続の工程フロー模式図である。
【図７】図７は本発明に係る第３の実施例に提供される無線伝送装置と移動体通信装置との接続の工程フロー図である。
【発明を実施するための形態】
【００１１】
以下に特定の具体的実施例により本発明に開示されている、「無線伝送装置、及び無線伝送装置と移動体通信装置との接続方法」に関する実施形態を説明するが、当業者が本明細書に開示されている内容から本発明のメリットと効果が分かる。本発明は、他の異なる具体的実施例により実施または適用されてもよく、本明細書中の各項目の詳細も、異なる観点と適用に応じて、本発明の趣旨を逸脱しない範囲で様々な修飾と変更を行うことができる。また、本発明の図面は簡単な概略的説明に過ぎず、実際のサイズに応じて描かれるものではないことを、まず明らかにしておく。
〔第１の実施例〕
【００１２】
まず、図１及び図２を参照する。本発明に係る実施例は、移動体通信装置２と接続されるための無線伝送装置１を提供する。無線伝送装置１は、ベースユニット１１と、制御ユニット１２と、方向転換駆動ユニット１３と、アンテナユニット１４とを備える。好ましくは、無線伝送装置１は、信号接続ユニット１５を更に備える。例えば、信号接続ユニット１５がネットワークケーブルのコネクタソケット（ＲＪ４５端子）であってもよく、信号接続ユニット１５がネットワーク信号ポートに電気的に接続される（図示せず）ことにより、デジタル情報を受信又は出力し、ネットワーク信号ポートから受信されたデジタル情報をアンテナユニット１４を介して移動体通信装置２に送信することで、移動体通信装置２がネットワーク接続がされ得るようになる。言い換えれば、無線伝送装置１は無線ルータ（Ｒｏｕｔｅｒ）、無線ネットワーク基地局（Ａｃｃｅｓｓ  Ｐｏｉｎｔ，ＡＰ、Ｗｉｒｅｌｅｓｓ  Ａｃｃｅｓｓ  Ｐｏｉｎｔ，ＷＡＰ）、ブルートゥース（登録商標）（Ｂｌｕｅｔｏｏｔｈ（登録商標））接続装置、Ｗｉ−Ｆｉ装置又は他の無線伝送機能を有するアクセス装置に相当するが、本発明はこれらに限定されるものではない。
【００１３】
また、本発明に係る実施例としては、アンテナユニットは単なる１本のアンテナか２本以上のアンテナであってもよく、１本のアンテナユニット１４を用いる場合、信号の受信と発送の機能を果たすために、アンテナユニットが時間割にてマルチタスクの動作をすることができる。複数本のアンテナを用いる場合、信号の受信と送信の作業を分けて行ってもよい。
【００１４】
次に、ベースユニット１１は、他のモジュールを載置するためのケース若しくはソケット本体であってもよく、制御ユニット１２は回路基板（図示せず）に設けられ、回路基板を介してベースユニット１１に設けられてもよい。なお、制御ユニット１２はマイクロコントローラ（Ｍｉｃｒｏｃｏｎｔｒｏｌｌｅｒ  Ｕｎｉｔ、ＭＣＵ）であってもよいが、本発明はこれに限定されるものではない。また、方向転換駆動ユニット１３はベースユニット１１に設けられてもよく、アンテナユニット１４が方向転換駆動ユニット１３に設けられ、または回転盤（図示せず）を介して方向転換駆動ユニット１３に設けられることが可能である。方向転換駆動ユニット１３及びアンテナユニット１４は、それぞれ制御ユニット１２に電気的に接続されてもよい。例えば、本発明に係る実施例としては、方向転換駆動ユニット１３は、モータ（例えば、テッピングモータ等）であってもよく、制御ユニット１２の制御により回転するものである。
【００１５】
次に、制御ユニット１２はアンテナユニット１４と移動体通信装置２との間の信号計測値に従い、方向転換駆動ユニット１３の回転方向（又は回転角度）を制御し、方向転換駆動ユニット１３に設けられるアンテナユニット１４を方向転換させることができる。例えば、方向転換駆動ユニット１３はアンテナユニット１４を第１の方向Ｄ１（時計方向）又は第２の方向Ｄ２（反時計方向）に沿って回転させるように駆動することができる。即ち、第１の方向Ｄ１と第２の方向Ｄ２とはお互いに異なり、又はお互いに逆である。これにより、制御ユニット１２は受信される信号計測値に従い、最適（最大）の信号計測値を有する位置を連続的に判断できるものである。また、本発明の図面から、アンテナユニット１４が水平方向に沿って回転することが示されるが、別の実施態様において、アンテナユニット１４は別の方向転換駆動ユニット１３により駆動されて水平方向に対する垂直方向に沿って回転（ピッチ回転）してもよい。これにより、それぞれ異なる高さ（例えば、異なる階床）に位置する無線伝送装置１と移動体通信装置２との間の信号接続性を強化する。
【００１６】
なお、アンテナユニット１４は、指向性アンテナ（Ｄｉｒｅｃｔｉｏｎａｌ  Ａｎｔｅｎｎａ）であってもよく、好ましくは、本発明に係る実施例としては、無指向性アンテナ（Ｉｓｏｔｒｏｐｉｃ  Ａｎｔｅｎｎａ）を更に備えることができる。これにより、指向性アンテナによりカバーされる無線ネットワークの空間範囲内に位置しない移動体通信装置２は、無指向性アンテナ（図示せず）により接続を行うことができる。
【００１７】
言い換えれば、移動体通信装置２、例えば携帯電話、ノートパソコン又はマルチメディアタブレット等の電子通信設備は、無線伝送装置１によりカバーされる無線ネットワークの空間に入る場合、アンテナユニット１４と移動体通信装置２との間に無線接続を行い、例えば、ワイファイ（Ｗｉｒｅｌｅｓｓ  Ｆｉｄｅｌｉｔｙ、Ｗｉ−Ｆｉ）技術で無線リンクを行う。ユーザは移動体通信装置２の受信強度が不足するか更に向上する必要があると考える際に、移動体通信装置２を介して無線伝送装置１を調整し、移動体通信装置２とアンテナユニット１４との間の信号計測値の強度を向上することができる。
【００１８】
例えば、移動体通信装置２は、アンテナユニット１４から発信される放射線場の境界の付近に位置する、又はアンテナユニット１４から遠い場合、無線伝送装置１による無線信号を受信・送信しにくくなる。即ち、移動体通信装置２はアンテナユニット１４（指向性アンテナ又は無指向性アンテナ）による弱い無線信号のみを受信する。この場合、移動体通信装置２の無線信号の受信信号の強度値（Ｒｅｃｅｉｖｅｄ  ｓｉｇｎａｌ  ｓｔｒｅｎｇｔｈ  ｉｎｄｉｃａｔｉｏｎ、ＲＳＳＩ）又は信号雑音比（Ｓｉｇｎａｌ−ｔｏ−ｎｏｉｓｅ  ｒａｔｉｏ、ＳＮＲ）が低減される。これにより、移動体通信装置２は、無線伝送装置１が移動体通信装置２に受信された無線ネットワーク信号が弱い状況に対してアンテナユニット１４を調整するように、制御信号を無線伝送装置１に出力することができる。なお、ユーザは移動体通信装置２に設けられるアプリケーション（Ａｐｐｌｉｃａｔｉｏｎ）を介して、移動体通信装置２から制御信号が無線伝送装置１に出力されることを制御することができる。しかし、本発明は、制御信号を出力する手段を限定しないものである。
【００１９】
次に、図３と図４を参照する。制御ユニット１２は、アンテナユニット１４を介して移動体通信装置２からの制御信号を受信し、且つそれにより方向転換駆動ユニット１３を制御するための駆動信号を発生し、更にアンテナユニット１４の方向転換を開始させ、移動体通信装置２と無線伝送装置１との間の信号強度を向上することができる。詳しくは、移動体通信装置２が制御信号を出力するように制御された後、アンテナユニット１４から出射されるアンテナの放射線場Ｚの方向が移動体通信装置２に向けることができ、ユーザが移動体通信装置２を持って移動する場合、アンテナユニット１４が方向転換駆動ユニット１３により動かされて回転することができる。それにより、アンテナユニット１４から出射されるアンテナの放射線場Ｚの方向が連続的に移動体通信装置２に向け、またはアンテナユニット１４が、移動体通信装置２と対応すると共に最適の信号計測値を有する位置に置かれる。言い換えれば、アンテナの放射線場Ｚの範囲内における他の移動体通信装置２は、いずれも制御信号を発するための移動体通信装置２により信号強度を向上することができる。なお、別の実施態様において、それぞれ複数の移動体通信装置２に対応するように、複数組のアンテナユニット１４が設けられてもよいが、本発明はこれに限定されるものではない。
〔第２の実施例〕
【００２０】
まず、図５と共に図１と図２を合わせて参照する。本発明の第２の実施例は、無線伝送装置１と移動体通信装置２との間の無線接続を確立する工程Ｓ１００（工程（ａ）に相当する）を備える無線伝送装置と移動体通信装置との接続方法が提供される。例えば、接続を確立する手段としては、移動体通信装置２には、自動の方法で、又はユーザが手動の方法で無線伝送装置１と接続されるアプリケーションが設けられてもよい。
【００２１】
次に、工程Ｓ１０２（工程（ｂ）に相当する）のように、所定の位置に置かれるアンテナユニット１４と移動体通信装置２との間の信号計測値を検知する。例えば、制御ユニット１２を介してアンテナユニット１４と移動体通信装置２との間の受信信号の強度値又は信号雑音比を測定してもよく、信号計測値が連続的に検知され、現在の最新の信号計測値が連続的に分かるようにする。
【００２２】
次に、工程Ｓ１０４（工程（ｃ）に相当する）のように、アンテナユニット１４が第１の方向Ｄ１に向けて別の所定の位置まで回転し、別の所定の位置に置かれるアンテナユニット１４と移動体通信装置２との間の別の信号計測値を検知する。具体的には、アンテナユニット１４が方向転換駆動ユニット１３に駆動されて回転することができる。第１の方向Ｄ１は、アンテナユニット１４が水平方向の時計方向に回転したり、反時計方向に回転したりしてもよく、アンテナユニット１４が第１の方向Ｄ１に向けて所定の距離又は所定の角度を回転した後、制御ユニット１２がアンテナユニット１４と移動体通信装置２との間の別の信号計測値を測定する。これにより、工程Ｓ１０２と工程Ｓ１０４を経てから、それぞれ異なる位置に置かれる信号計測値が２セット生成され得る。
【００２３】
次に、工程Ｓ１０６（工程（ｄ）に相当する）のように、アンテナユニット１４と移動体通信装置２との間の後の検知された信号計測値が、前の検知された信号計測値よりも大きいかを判断する。具体的には、アンテナユニット１４と移動体通信装置２との間の後の検知された信号計測値は、アンテナユニット１４が第１の方向Ｄ１に向けて回転した後の別の所定の位置における信号計測値、即ち、現在最も新しく計測された信号計測値に相当する。また、アンテナユニット１４と移動体通信装置２との間の前の検知された信号計測値は、アンテナユニット１４が第１の方向Ｄ１に向けて回転する前の所定の位置における信号計測値、即ち、最も新しく計測された信号計測値に対して前の計測された信号計測値に相当する。
【００２４】
次に、制御ユニット１２を介して後の検知された信号計測値が、前の検知された信号計測値よりも大きいかを判断することができ、後の検知された信号計測値が、前の検知された信号計測値よりも大きい場合、工程Ｓ１０４に戻りそれを実施し、アンテナユニット１４が第１の方向Ｄ１に沿って回転するように駆動され続け、再び新しい信号計測値が得られる。
【００２５】
言い換えれば、後の検知された信号計測値が、前の検知された信号計測値よりも大きい、即ちアンテナユニット１４が第１の方向Ｄ１に沿って回転し続ける場合、アンテナユニット１４と移動体通信装置２との間の信号がますます良くなってくることが示されるので、同じ方向に向けて回転し続けることができる。
【００２６】
次に、工程Ｓ１０８のように、アンテナユニット１４と移動体通信装置２との間の後の検知された信号計測値が、前の検知された信号計測値よりも大きくない場合、アンテナユニット１４が第２の方向Ｄ２に向けて更に別の所定の位置まで回転するように駆動され、更に別の所定の位置に置かれるアンテナユニットと移動体通信装置との間の更に別の信号計測値を検知する。詳しくは、後の検知された信号計測値が、前の検知された信号計測値よりも大きくならない、即ちアンテナユニット１４が第１の方向Ｄ１に沿って回転し続ける場合、アンテナユニット１４と移動体通信装置２との間の信号がますます悪くなってくることが示されるので、方向を変えて回転しなければならない。
【００２７】
次に、工程Ｓ１０８が実施された後で、次に工程Ｓ１０６に戻りそれを実施し、制御ユニット１２はアンテナユニット１４と移動体通信装置２との間の後の検知された信号計測値が、前の検知された信号計測値よりも大きいかを判断し続ける。即ち、アンテナユニット１４が第２の方向Ｄ２に向けて回転した後で検知された信号計測値が、アンテナユニット１４が第２の方向Ｄ２に向けて回転する前に検知された信号計測値よりも大きいかを判断する。
【００２８】
また、好ましくは、アンテナユニット１４と移動体通信装置２との間の最適の信号計測値の位置をより速く見つけるために、工程Ｓ１０２を行う前に、アンテナユニット１４と移動体通信装置２との間の最適の信号計測値の位置を記録するように、更にアンテナユニット１４が第１の方向Ｄ１（又は第２の方向Ｄ２）に向けて回り１回転するように駆動されてもよい。次に、更に方向転換駆動ユニット１３を介してアンテナユニット１４が最適の信号計測値を有する位置まで回転するように駆動される。言い換えれば、まず、アンテナユニット１４を最適の信号計測値を有する位置まで回転させることにより、その後で工程Ｓ１０２〜Ｓ１０８を実施する場合、アンテナユニット１４と移動体通信装置２に最適の信号計測値をより速く得ることができる。そして、上記の工程Ｓ１０２〜Ｓ１０８に示すことにより、アンテナユニット１４を最適の信号計測値を有する位置まで連続的に回転させ、最適の信号計測値を保持するようになる。
【００２９】
次に、図６を参照する。図６と図５との比較から、図６に示す実施態様において、工程Ｓ１０２とＳ１０４との間に、信号計測値がデフォルトの信号計測値よりも大きいかを判断する工程を更に備えることが分かる。具体的には、工程Ｓ１０３のように、所定の位置に置かれるアンテナユニット１４と移動体通信装置との間の信号計測値がデフォルトの信号計測値よりも大きいかを判断する。デフォルトの信号計測値は、アンテナユニット１４が方向転換するように駆動され続けることが必要であるかを判断するための閾値（Ｔｈｒｅｓｈｏｌｄ）であってもよい。これにより、所定の位置に置かれるアンテナユニット１４と移動体通信装置との間の信号計測値が、デフォルトの信号計測値よりも大きくない場合、工程Ｓ１０４を実施する。即ち、信号計測値の強度が相変わらず不足しており、更に、アンテナユニット１４が方向転換を開始させるように駆動される必要がある。また、所定の位置に置かれるアンテナユニット１４と移動体通信装置２との間の信号計測値が、デフォルトの信号計測値よりも大きい場合、工程Ｓ１０２に戻りそれを実施し、信号計測値を検知し続ける。なお、信号計測値が連続的に変動するので、省エネのために、工程Ｓ１０２に戻りそれを実施する過程で、更にプリセット時間を設定でき、プリセット時間を置いてから、所定の位置に置かれるアンテナユニット１４と移動体通信装置２との間の信号計測値が、デフォルトの信号計測値よりも大きいかを更に判断し続けるようにする。
【００３０】
なお、別の実施態様において、信号強度が一定のレベルに維持されたまま、アンテナユニット１４が連続的に回転することを防止するために、別の信号計測値が検知された後、又は更に別の信号計測値が検知された後、所定の位置に置かれるアンテナユニット１４と移動体通信装置との間の信号計測値がデフォルトの信号計測値よりも大きいかを判断する工程を実施することができる。
【００３１】
別の所定の位置又は更に別の所定の位置に置かれるアンテナユニット１４と移動体通信装置２との間の別の信号計測値又は更に別の信号計測値が、デフォルトの信号計測値よりも大きい場合、アンテナユニット１４を回転させることを一旦停止し、信号計測値がデフォルトの信号計測値よりも大きくならないまで、アンテナユニット１４を回転させ続ける。
【００３２】
ちなみに、アンテナユニットと移動体通信装置との間の後の検知された信号計測値が、前の検知された信号計測値よりも大きいかを判断する工程が実施された後で、移動体通信装置２と無線伝送装置１との間の対応する位置関係を計算する工程を更に備えることができる。なお、具体的工程の詳細は、第３の実施例で更に説明される。
〔第３の実施例〕
【００３３】
まず、図７と共に図１と図２を合わせて参照する。本発明の第３の実施例は、無線伝送装置１と移動体通信装置２との間の無線接続を確立する工程Ｓ２００を備える無線伝送装置と移動体通信装置との接続方法が提供される。次に、工程Ｓ２０２のように、アンテナユニット１４が第１の方向Ｄ１に向けて回転するように駆動される。なお、工程Ｓ２００と工程Ｓ２０２における無線接続方法とアンテナユニット１４が回転するように駆動される方法は上述した実施例と同様であるので、ここでは重複する説明は省略する。
【００３４】
次に、工程Ｓ２０４のように、アンテナユニット１４が第１の方向Ｄ１に向けて回転した後で検知された現在の信号計測値が、アンテナユニット１４が第１の方向Ｄ１に向けて回転する前に検知された直前の信号計測値よりも大きいかを判断する。これにより、工程Ｓ２０４が実施される前に、無線伝送装置１と移動体通信装置２との間の信号強度を検知し、アンテナユニット１４が第１の方向Ｄ１に向けて回転する前に検知された直前の信号計測値を得る工程を更に備える。言い換えれば、現在の信号計測値は最新の信号計測値であり、直前の信号計測値は最新の信号計測値の前の信号計測値である。これにより、制御ユニット１２の処理演算により、現在の信号計測値と直前の信号計測値の大小を判断できる。
【００３５】
次に、工程Ｓ２０６のように、アンテナユニット１４が第１の方向Ｄ１に向けて回転した後で検知された現在の信号計測値が、アンテナユニット１４が第１の方向Ｄ１に向けて回転する前に検知された直前の信号計測値よりも大きくない場合、アンテナユニット１４が第２の方向Ｄ２に向けて回転するように駆動される。言い換えれば、制御ユニット１２により検知された回転した後の現在の信号計測値が、回転する前に検知された直前の信号計測値よりも大きくない場合、即ち信号強度がますます悪くなってくることが示される。したがって、制御ユニット１２は、アンテナユニット１４を第１の方向Ｄ１と対向する（又は逆である）第２の方向Ｄ２に向けて回転させるように制御する。
【００３６】
また、アンテナユニット１４が第１の方向Ｄ１に向けて回転した後で検知された現在の信号計測値が、アンテナユニット１４が第１の方向Ｄ１に向けて回転する前に検知された直前の信号計測値よりも大きい場合、アンテナユニット１４が第１の方向に向けて回転するように駆動され続ける。言い換えれば、制御ユニット１２により検知された回転した後の現在の信号計測値が、回転する前に検知された直前の信号計測値よりも大きい場合、即ち信号強度がますます良くなってくることが示される。したがって、制御ユニット１２はアンテナユニット１４を第１の方向Ｄ１に向けて回転させ続けるように制御する。
【００３７】
次に、工程Ｓ２０８のように、アンテナユニット１４が第２の方向Ｄ２に向けて回転した後で検知された現在の信号計測値が、アンテナユニット１４が第２の方向Ｄ２に向けて回転する前に検知された直前の信号計測値よりも大きいかを判断する。これにより、制御ユニット１２の処理演算により、現在の信号計測値と直前の信号計測値の大小差異を判断し続けることで、アンテナユニット１４がどの方向に向けて回転すべきかを決める。
【００３８】
次に、アンテナユニット１４が第２の方向Ｄ２に向けて回転した後で検知された現在の信号計測値が、アンテナユニット１４が第２の方向Ｄ２に向けて回転する前に検知された直前の信号計測値よりも大きくない場合、工程Ｓ２０２に戻りそれを実施し、アンテナユニット１４が第１の方向Ｄ１に向けて回転するように駆動される。
【００３９】
次に、アンテナユニット１４が第２の方向Ｄ２に向けて回転した後で検知された現在の信号計測値が、アンテナユニット１４が第２の方向に向けて回転する前に検知された直前の信号計測値よりも大きい場合、アンテナユニット１４が第２の方向Ｄ２に向けて回転するように駆動され続ける。
【００４０】
また、工程Ｓ２０２を実施する前に、即ち、アンテナユニット１４が第１の方向Ｄ１に向けて回転するように駆動される工程の前に、第１の方向Ｄ１に向けて回転する前に検知された直前の信号計測値がデフォルトの信号計測値よりも大きいかを判断する工程を更に備えることができる。第３の実施例に述べられるデフォルトの信号計測値が第２の実施例に述べられる信号計測値に相当するので、ここでは重複する説明は省略する。
【００４１】
次に、第１の方向Ｄ１に向けて回転する前に検知された直前の信号計測値が、デフォルトの信号計測値よりも大きい場合、アンテナユニット１４を回転させることを一旦停止する。また、信号計測値がデフォルトの信号計測値よりも大きくならないと、アンテナユニット１４を再び回転させ続ける。また、第１の方向Ｄ１に向けて回転する前に検知された直前の信号計測値が、デフォルトの信号計測値よりも大きくない場合、後工程Ｓ２０２が継続される。
【００４２】
更には、アンテナユニット１４が第１の方向Ｄ１に向けて回転するように駆動される工程の前に、アンテナユニット１４と移動体通信装置２との間の最適の信号計測値の位置を記録するように、アンテナユニット１４が第１の方向Ｄ１に向けて回り１回転するように駆動される工程を更に備える。なお、この工程は上述した第２の実施例に述べられる内容に相当するので、ここでは重複する説明は省略する。
【００４３】
なお、本発明に係る実施例に提供される無線伝送装置と移動体通信装置との接続方法は、移動体通信装置２と無線伝送装置１との間の位置関係を更に計算することもできる。言い換えれば、更に、移動体通信装置２を場所的に位置決めすることができる。即ち、アンテナユニットが第２の方向に向けて回転した後で検知された現在の信号計測値が、アンテナユニットが第２の方向に向けて回転する前に検知された直前の信号計測値よりも大きいかを判断する工程の後で、移動体通信装置２と無線伝送装置１との間の対応する位置関係を計算する工程を更に備えることができる。
【００４４】
具体的には、まず、上述した工程によりアンテナユニット１４が移動体通信装置２の間に最適の信号計測値を有する位置まで駆動され得る、即ち、この工程により移動体通信装置２の無線伝送装置１に対する方位が得られる。次に、信号計測値の大小により移動体通信装置２と無線伝送装置１との間の距離が計算され、更に移動体通信装置２を位置決めすることができる。
〔実施例の可能な効果〕
【００４５】
以上のことから、本発明の作用効果は、本発明に係る実施例に提供される無線伝送装置１、及び無線伝送装置１と移動体通信装置２との接続方法は、無線伝送装置１と移動体通信装置２との間の信号計測値を連続的に検知し、アンテナユニット１４の方向転換を調整することができ、無線伝送装置１と移動体通信装置２との間の信号計測値又は通信の品質が連続的に最も好ましい状態に維持されることであり得る。
【００４６】
以上に述べられたのは本発明の好ましい可能な実施例に過ぎず、これにより本発明の特許請求の範囲を制限するものではないので、本発明の明細書及び図面内容に基づく等価の技術的変形は、すべて本発明の保護範囲内に含まれる。
【符号の説明】
【００４７】
１    無線伝送装置
１１    ベースユニット
１２    制御ユニット
１３    方向転換駆動ユニット
１４    アンテナユニット
１５    信号接続ユニット
２    移動体通信装置
Ｄ１    第１の方向
Ｄ２    第２の方向
Ｚ    アンテナの放射線場
【図１】
2017147715.tif 000003
【図２】
2017147715.tif 000004
【図３】
2017147715.tif 000005
【図４】
2017147715.tif 000006
【図５】
2017147715.tif 000007
【図６】
2017147715.tif 000008
【図７】
2017147715.tif 000009